(57)【特許請求の範囲】
【請求項１】
所定の間隔で複数立設した支柱の間に防音パネルが挿入されて成る防音壁において、防音パネルの落下を防止するためのワイヤーロープを支柱のウエブ上端部へ取付ける構造であり、
支柱のウエブ上端部に、上方を切り欠かれた縦溝と、同縦溝の下部に連続する横溝とから成る切り欠き開口部が形成されており、前記横溝の上下方向の溝高さはワイヤーロープの直径より大きく、同ワイヤーロープの先端部に設けられたストッパーの直径よりも小さく形成されていること、
ワイヤーロープは切り欠き開口部の縦溝から横溝へと差し込まれ、支柱のウエブ上端部から前記切り欠き開口部が位置する表裏両面に沿って差し込まれたクリップ状の止め金具によりワイヤーロープは横溝内に規制されていることを特徴とする、防音壁のワイヤーロープ取付け構造。
【請求項２】
クリップ状の止め金具の少なくとも片側面部に支柱の切り欠き開口部の横溝へ係止される係止部が形成されていることを特徴とする、請求項１に記載した防音壁のワイヤーロープ取付け構造。
【請求項３】
クリップ状の止め金具の少なくとも片側面部に支柱の切り欠き開口部の縦溝とほぼ重なり合う位置に引っ掛け孔が形成されていることを特徴とする、請求項１又は２に記載した防音壁のワイヤーロープ取付け構造。
【請求項４】
切り欠き開口部の縦溝が横溝へ移行する角部にＲ加工が施されていることを特徴とする、請求項１〜３のいずれか一に記載した防音壁のワイヤーロープ取付け構造。
【発明の詳細な説明】
【技術分野】
【０００１】
この発明は、所定の間隔で複数立設した支柱の間に防音パネルが挿入されて成る防音壁において、防音パネルの落下を防止するためのワイヤーロープを支柱のウエブ上端部へ取付ける構造の技術分野に属する。
【背景技術】
【０００２】
従来から所定の間隔で複数立設した支柱の間に防音パネルが挿入されて成る防音壁において、防音パネルの側縁に取り付けられたアイボルトにワイヤーロープを通し、同ワイヤーロープの先端部を支柱のウエブ上端部へ取付けることにより、防音パネルの落下を防止する技術が多々実施されている。このとき、ワイヤーロープの先端部を支柱のウエブ上端部へ如何にして取付けるかが、施工性などの点から重要である。
【０００３】
例えば、特許文献１のワイヤーロープ取付け構造は、支柱のウエブに固定具を差し込んで、同固定具の透孔と支柱のウエブ上端部に形成されたワイヤー挿通孔とを重ね合わせ、前記固定具の透孔とワイヤー挿通孔とにワイヤーロープを通し、更に固定具を摺動させて透孔から連続するスリットへワイヤーロープを通し、先端部のストッパーを固定具に係止させた構造とされている。固定具を摺動させるだけで、簡単にワイヤーロープの先端部を支柱のウエブ上端部へ取付けられる。
【０００４】
特許文献２のワイヤーロープ取付け構造は、支柱のウエブ上端部に大径部と同大径部から水平に連続する小径部とから成る取り付け用孔を形成しており、同取り付け用孔の大径部に通したワイヤーロープを小径部へ移動させて、先端部のストッパーを支柱のウエブ上端部に係止させ、取り付け用孔の大径部をクリップ状の塞ぎ具で塞いだ構造とされている。取り付け用孔の大径部に通したワイヤーロープを小径部へ移動させ、前記大径部を塞ぎ具で塞ぐだけで、ワイヤーロープの先端部を支柱のウエブ上端部へ取付けられる。
【特許文献１】特開２００２−２２７１４５号公報
【特許文献２】特開２００３−４１５２５号公報
【発明の開示】
【発明が解決しようとする課題】
【０００５】
特許文献１、２のワイヤーロープ取付け構造は、ワイヤーロープを支柱のウエブと防音パネルの側縁との間に形成された空間に通し、この狭い空間においてワイヤーロープを小さく湾曲させて、支柱のウエブ上端部に形成されたワイヤー挿通孔又は取り付け用孔に通している。しかし、ワイヤーロープは直径が６mm〜１０mm程度と太く、剛強であるため上記狭い空間で小さく湾曲させることができず、支柱のウエブ上端部に形成されたワイヤー挿通孔又は取り付け用孔に通す作業が極めて困難で、施工性が悪い。その解決策として、通例はワイヤーロープの長さに十分な余裕（０．５m〜１m程度）を確保して大きく湾曲させて作業しやすくしているが、前記の余裕長さ分だけコストが嵩む上、収まりを良くする作業に問題点を有する。
【０００６】
本発明の目的は、支柱のウエブ上端部に上方を切り欠かれた縦溝と、同縦溝の下部に連続する横溝とから成る切り欠き開口部を形成し、ワイヤーロープを前記切り欠き開口部の縦溝から横溝へと差し込み、支柱のウエブ上端部から前記切り欠き開口部が位置する表裏両面に沿って差し込まれたクリップ状の止め金具によりワイヤーロープは横溝内に規制する構造として、ワイヤーロープの先端部の取付作業が簡単で施工性と収まりが良く、それ故にワイヤーロープに余裕長さを確保する必要がなく、コストの削減にも寄与する防音壁のワイヤーロープ取付け構造を提供することである。
【課題を解決するための手段】
【０００７】
上記従来技術の課題を解決するための手段として、請求項１に記載した発明に係る防音壁のワイヤーロープ取付け構造は、
所定の間隔で複数立設した支柱の間に防音パネルが挿入されて成る防音壁において、防音パネルの落下を防止するためのワイヤーロープを支柱のウエブ上端部へ取付ける構造であり、
支柱のウエブ上端部に、上方を切り欠かれた縦溝と、同縦溝の下部に連続する横溝とから成る切り欠き開口部が形成されており、前記横溝の上下方向の溝高さはワイヤーロープの直径より大きく、同ワイヤーロープの先端部に設けられたストッパーの直径よりも小さく形成されていること、
ワイヤーロープは切り欠き開口部の縦溝から横溝へと差し込まれ、支柱のウエブ上端部から前記切り欠き開口部が位置する表裏両面に沿って差し込まれたクリップ状の止め金具によりワイヤーロープは横溝内に規制されていることを特徴とする。
【０００８】
請求項２記載の発明は、請求項１に記載した防音壁のワイヤーロープ取付け構造において、
クリップ状の止め金具の少なくとも片側面部に支柱の切り欠き開口部の横溝へ係止される係止部が形成されていることを特徴とする。
【０００９】
請求項３記載の発明は、請求項１又は２に記載した防音壁のワイヤーロープ取付け構造において、
クリップ状の止め金具の少なくとも片側面部に支柱の切り欠き開口部の縦溝とほぼ重なり合う位置に引っ掛け孔が形成されていることを特徴とする。
【００１０】
請求項４記載の発明は、請求項１〜３のいずれか一に記載した防音壁のワイヤーロープ取付け構造において、
切り欠き開口部の縦溝が横溝へ移行する角部にＲ加工が施されていることを特徴とする。
【発明の効果】
【００１１】
本発明に係る防音壁のワイヤーロープ取付け構造は、支柱のウエブ上端部に上方を切り欠かれた縦溝と、同縦溝の下部に連続する横溝とから成る切り欠き開口部を形成し、ワイヤーロープを前記切り欠き開口部の縦溝から横溝へと差し込み、支柱のウエブ上端部から前記切り欠き開口部が位置する表裏両面に沿って差し込まれたクリップ状の止め金具によりワイヤーロープは横溝内に規制する構造であって、支柱の切り欠き開口部は上方が切り欠かれているので、ワイヤーロープを上方から前記切り欠き開口部へ差し込むだけで同切り欠き開口部内に簡単に導き入れることができ、また、クリップ状の止め金具により、簡単にワイヤーロープを横溝内に規制できる。さらに、止め金具に形成された係止部が切り欠き開口部の横溝へ係止されることにより、止め金具が抜けることがなく、ワイヤーロープが脱落することがない。よって、ワイヤーロープの先端部の取付作業に何ら困難性がなく、簡単で施工性と収まりが良く、それ故にワイヤーロープに余裕長さを確保する必要がなく、コストの削減にも寄与できる。
【発明を実施するための最良の形態】
【００１２】
支柱のウエブ上端部に、上方を切り欠かれた縦溝と、同縦溝の下部に連続する横溝とから成る切り欠き開口部が形成される。前記横溝の上下方向の溝高さはワイヤーロープの直径より大きく、同ワイヤーロープの先端部に設けられたストッパーの直径よりも小さく形成される。ワイヤーロープは切り欠き開口部の縦溝から横溝へと差し込まれ、支柱のウエブ上端部から前記切り欠き開口部が位置する表裏両面に沿って差し込まれたクリップ状の止め金具によりワイヤーロープは横溝内に規制される。
【実施例１】
【００１３】
以下に、請求項１〜４に記載した発明に係る防音壁のワイヤーロープ取付け構造（以下、単に取付け構造と省略する場合がある。）の実施例を、図１〜図５に基づいて説明する。
【００１４】
本発明の取付け構造は、防音壁１を成す防音パネル２の落下を防止するためのワイヤーロープ３の先端部を支柱４のウエブ４ａの上端部へ取付ける構造として好適に実施される。つまり、本発明の取付け構造が実施される防音壁１は、例えば高速道路の路肩の基礎に所定の間隔で複数本のＨ型鋼から成る支柱４…が立設されている。そして、隣接する支柱４と４の間において向かい合う溝部に、金属製ケーシングの内部に吸音材が充填された防音パネル（但し、この限りでない。）２の両側部がそれぞれ挿入され積層されている（図１を参照）。
【００１５】
ワイヤーロープ３は防音パネル２を支持するのに十分な強度、直径等を有し、外周が被覆材で保護されており、先端部にストッパー５、５が設けられている。このワイヤーロープ３のストッパー５、５は支柱４のウエブ４ａを挟んで両側に形成された、同支柱４のウエブ４ａと防音パネル２…の側縁との間の空間において個別に上方へ向かって通され、支柱４のウエブ４ａの上端部へ交差するように取付けられている。
【００１６】
具体的に云うと、支柱４のウエブ４ａの上端部には、上方を切り欠かれた縦溝６ａと、同縦溝６ａの下部から両外方へ向かってほぼ水平に連続する横溝６ｂ、６ｂとから成る逆Ｔ字形状の切り欠き開口部６が形成されている（図２を参照）。縦溝６ａの溝幅Ｔ１は、同縦溝６ａにワイヤーロープ３を差し込むことができるように、少なくともワイヤーロープ３の直径より大きく形成されている。横溝６ｂの上下方向の溝高さＴ２は、同横溝６ｂからワイヤーロープ３のストッパー５が抜けないように、ワイヤーロープ３の直径より大きく、同ワイヤーロープ３のストッパー５の直径より小さく形成されている。しかも横溝６ｂの溝深さＴ３は、同横溝６ｂ内にワイヤーロープ３を完全に収納できるように、ワイヤーロープ３の直径より大きく形成されている。ちなみに、切り欠き開口部６の縦溝６ａが横溝６ｂへ移行する角部６ｃにＲ加工が施されており、同切り欠き開口部６にワイヤーロープ３を差し込んだ際に同ワイヤーロープ３の被覆材が損傷しない構成とされている（請求項４記載の発明）。
【００１７】
この切り欠き開口部６の縦溝６ａから、ワイヤーロープ３の両端部３ａ、３ａがそれぞれ差し込まれ、更に横溝６ｂ、６ｂへ個別に差し込まれて収納されている（図３及び図４を参照）。そして、ワイヤーロープ３が不意に脱落しないように、支柱４のウエブ４ａの上端部から切り欠き開口部６が位置する表裏両面に沿って差し込まれたクリップ状の止め金具７によりワイヤーロープ３は横溝６ｂ内に規制され、且つ縦溝６ａが塞がれている（図４及び図５を参照）。切り欠き開口部６は上方が切り欠かれているので、ワイヤーロープ３を上方から前記切り欠き開口部６に差し込むだけで同切り欠き開口部６内に簡単に導き入れることができる。よって、ワイヤーロープ３の取り回しに何ら困難性がなく、ワイヤーロープ３の先端部の取付作業が簡単で施工性と収まりが良く、それ故にワイヤーロープ３に余裕長さを確保する必要がなく、コストの削減にも寄与できる。
【００１８】
止め金具７は、丸みを帯びた短面部８と平坦な長面部９とが断面Ｒ形状となるように一体化されている。つまり、支柱４のウエブ４ａの板厚は通例６mm〜１０mmと幅があるため、ウエブ４ａに差し込んだ際に短面部８の丸みで前記ウエブ４ａの板厚の相違を吸収しつつ、平坦な長面部９をウエブ４ａに面接触させ、短面部８と長面部９とでウエブ４ａを安定した状態で挟み込める構成とされている。このことにより、ウエブ４ａの板厚によらずに共通の止め金具を安定した状態で使用することができる。なお、短面部８が平坦で、長面部９が丸みを帯びた構成でも良い。
【００１９】
短面部８の下部には、切り欠き開口部６の横溝６ｂへ係止される係止部８ａが形成されている（図５（Ｂ）を参照、請求項２記載の発明）。止め金具７を支柱４のウエブ４ａに差し込んだ際に、同止め金具７の係止部８ａを切り欠き開口部６の横溝６ｂへ係止させて、簡単に固定できる。しかも係止部８ａが切り欠き開口部６の横溝６ｂへ係止されると、簡単に抜けないので、ワイヤーロープ３が脱落する恐れがない。
【００２０】
長面部９の略中央位置に引っ掛け孔９ａが形成されており、同引っ掛け孔９ａは切り欠き開口部６の縦溝６ａとほぼ重なり合う位置に配置されている（図４及び図５（Ａ）を参照、請求項３記載の発明）。例えば防音パネル２が破損して交換する際には、前記引っ掛け孔９ａにフック状の工具を引っ掛けて止め金具７を引き抜くだけで、ワイヤーロープ３の規制状態を簡単に解除することができる。ちなみに、図４等に示した止め金具７は短面部８及び長面部９の下側角部にＲ加工が施されており、同止め金具７を支柱４のウエブ４ａに差し込んだ際にワイヤーロープ３の被覆材の損傷を防ぎ、且つワイヤーロープ３を縦溝６ａから横溝６ｂへガイドする役割を果たす。
【実施例２】
【００２１】
なお、止め金具７は上記構成に限らず、断面Ｕ字形状に形成され、片側面部１０に切り欠き開口部６の横溝６ｂへ係止される突起状の係止部１０ａが形成された構成でも良い（図６を参照）。要するに、止め金具７は、切り欠き開口部６の横溝６ｂ内にワイヤーロープ３を規制でき、且つ縦溝６ａを塞ぐことができ、しかも不意に抜けないように係止できる構成であれば良い。
【実施例３】
【００２２】
以上に本発明の実施例を説明したが、本発明はこうした実施例に何ら限定されるものではなく、本発明の要旨を逸脱しない範囲において、種々の形態で実施し得る。
【図面の簡単な説明】
【００２３】
【図１】（Ａ）は、本発明に係る防音壁のワイヤーロープ取付け構造の実施例を概略的に示した側面図である。（Ｂ）は正面図である。
【図２】切り欠き開口部を拡大して示した正面図である。
【図３】切り欠き開口部にワイヤーロープの両端部を差し込み、支柱のウエブに止め金具を差し込む際の状態を拡大して示した正面図である。
【図４】図３の斜視図である。
【図５】（Ａ）は、防音壁のワイヤーロープ取付け構造を拡大して示した正面図である。（Ｂ）は（Ａ）のＡ−Ａ矢視断面図である。
【図６】（Ａ）は、異なる防音壁のワイヤーロープ取付け構造を拡大して示した正面図である。（Ｂ）は（Ａ）のＢ−Ｂ矢視断面図である。
【符号の説明】
【００２４】
１      防音壁
２      防音パネル
３      ワイヤーロープ
４      支柱
４ａ    ウエブ
５      ストッパー
６      切り欠き開口部
６ａ    縦溝
６ｂ    横溝
６ｃ    角部
７      止め金具
８      短面部
８ａ    係止部
９      長面部
９ａ    引っ掛け孔
１０    止め金具の片側面部
１０ａ  係止部
【図１】
0004519043.tif 000002
【図２】
0004519043.tif 000003
【図３】
0004519043.tif 000004
【図４】
0004519043.tif 000005
【図５】
0004519043.tif 000006
【図６】
0004519043.tif 000007